【手続補正書】
【提出日】平成16年6月9日(2004.6.9)
【手続補正１】
【補正対象書類名】明細書
【補正対象項目名】発明の名称
【補正方法】変更
【補正の内容】
【発明の名称】デジタルカメラの露出制御方法および露出制御装置
【手続補正２】
【補正対象書類名】明細書
【補正対象項目名】特許請求の範囲
【補正方法】変更
【補正の内容】
【特許請求の範囲】
【請求項１】
補助光を発光する補助光発光手段を有するデジタルカメラの露出制御方法において、
外光照度を検出するステップと、
前記で検出された外光照度に基づいて補助光が必要か否かを判断するステップと、
補助光の発光前に、外光下で被写体の輝度レベルを検出し、第１の露出量を算出するステップと、
補助光の発光後に、上記補助光下で被写体の輝度レベルを検出し、第２の露出量を算出するステップと、
上記第２の露出量は上記第１の露出量と比較して所定量以上増加したか否かを判断するステップと、
上記第２の露出量が上記第１の露出量より上記所定量以上増加したと判断された場合には、上記第１の露出量に基づいて露出制御を行い、上記第２の露出量が上記第１の露出量より上記所定量以上増加していないと判断された場合には、上記第２の露出量に基づいて露出制御を行うステップと
を備えたことを特徴とするデジタルカメラの露出制御方法。
【請求項２】
上記露出制御を行うステップは、絞りの開口度、撮像素子の電子シャッタ量、および撮像素子から出力される撮像信号の利得の制御を行うことを特徴とする請求項１記載のデジタルカメラの露出制御方法。
【請求項３】
上記第１および第２の露出量の変化量が所定の閾値を超えた場合には、上記第２の露出量を制限することを特徴とする請求項１記載のデジタルカメラの露出制御方法。
【請求項４】
補助光を発光する補助光発光手段を有するデジタルカメラの露出制御装置において、
外光照度を検出する外光照度検出手段と、
前記で検出された外光照度に基づいて補助光が必要か否かを判断する第１の判断手段と、
補助光の発光前に、外光下で被写体の輝度レベルを検出し、第１の露出量を算出する第１の露出量算出手段と、
補助光の発光後に、上記補助光下で被写体の輝度レベルを検出し、第２の露出量を算出する第２の露出量算出手段と、
上記第２の露出量は上記第１の露出量と比較して所定量以上増加したか否かを判断する第２の判断手段と、
上記第２の露出量が上記第１の露出量より上記所定量以上増加したと判断された場合には、上記第１の露出量に基づいて露出制御を行い、上記第２の露出量が上記第１の露出量より上記所定量以上増加していないと判断された場合には、上記第２の露出量に基づいて露出制御を行う露出制御手段と
を備えたことを特徴とするデジタルカメラの露出制御装置。
【請求項５】
上記露出制御手段は、絞りの開口度、撮像素子の電子シャッタ量、および撮像素子から出力される撮像信号の利得の制御を行うことを特徴とする請求項１記載のデジタルカメラの露出制御装置。
【請求項６】
上記第１および第２の露出量の変化量が所定の閾値を超えた場合には、上記第２の露出量を制限することを特徴とする請求項１記載のデジタルカメラの露出制御装置。
【手続補正３】
【補正対象書類名】明細書
【補正対象項目名】０００１
【補正方法】変更
【補正の内容】
【０００１】
【発明の属する技術分野】
本発明は、輝度レベルの不足を補助するために、オートフォーカスの間だけ一時的にオートフォーカス補助光を被写体に照射する補助光発光装置を備えたデジタルカメラの露出制御方法および露出制御装置に関する。
【手続補正４】
【補正対象書類名】明細書
【補正対象項目名】００１０
【補正方法】変更
【補正の内容】
【００１０】
本発明は、上記のような課題を解決するためになされたもので、輝度レベルが変化する補助光発光後にも再度露出制御を行うことにより、補助光発光時も露出が適正になり、自動フォーカシングの精度の高いデジタルカメラの露出制御方法および露出制御装置を提供することを目的とする。
【手続補正５】
【補正対象書類名】明細書
【補正対象項目名】００１１
【補正方法】変更
【補正の内容】
【００１１】
【課題を解決するための手段】
上記の目的を達成するために、本発明は、補助光を発光する補助光発光手段を有するデジタルカメラの露出制御方法において、外光照度を検出するステップと、前記で検出された外光照度に基づいて補助光が必要か否かを判断するステップと、補助光の発光前に、外光下で被写体の輝度レベルを検出し、第１の露出量を算出するステップと、補助光の発光後に、補助光下で被写体の輝度レベルを検出し、第２の露出量を算出するステップと、第２の露出量は第１の露出量と比較して所定量以上増加したか否かを判断するステップと、第２の露出量が第１の露出量より所定量以上増加したと判断された場合には、第１の露出量に基づいて露出制御を行い、第２の露出量が第１の露出量より所定量以上増加していないと判断された場合には、第２の露出量に基づいて露出制御を行うステップと、を備えたことを特徴とする。
【手続補正６】
【補正対象書類名】明細書
【補正対象項目名】００１２
【補正方法】変更
【補正の内容】
【００１２】
また、本発明のデジタルカメラの露出制御装置における露出制御を行うステップは、絞りの開口度、撮像素子の電子シャッタ量、および撮像素子から出力される撮像信号の利得の制御を行うことを特徴とする。
【手続補正７】
【補正対象書類名】明細書
【補正対象項目名】００１３
【補正方法】変更
【補正の内容】
【００１３】
また、本発明のデジタルカメラの露出制御方法では、第１および第２の露出量の変化量が所定の閾値を超えた場合には、第２の露出量を制限することを特徴とする。
【手続補正８】
【補正対象書類名】明細書
【補正対象項目名】００１４
【補正方法】変更
【補正の内容】
【００１４】
また、本発明は、補助光を発光する補助光発光手段を有するデジタルカメラの露出制御装置において、外光照度を検出する外光照度検出手段と、前記で検出された外光照度に基づいて補助光が必要か否かを判断する第１の判断手段と、補助光の発光前に、外光下で被写体の輝度レベルを検出し、第１の露出量を算出する第１の露出量算出手段と、補助光の発光後に、補助光下で被写体の輝度レベルを検出し、第２の露出量を算出する第２の露出量算出手段と、第２の露出量は第１の露出量と比較して所定量以上増加したか否かを判断する第２の判断手段と、第２の露出量が第１の露出量より所定量以上増加したと判断された場合には、第１の露出量に基づいて露出制御を行い、第２の露出量が第１の露出量より所定量以上増加していないと判断された場合には、第２の露出量に基づいて露出制御を行う露出制御手段と、を備えたことを特徴とする。
【手続補正９】
【補正対象書類名】明細書
【補正対象項目名】００１５
【補正方法】変更
【補正の内容】
【００１５】
また、本発明のデジタルカメラの露出制御装置における露出制御手段は、絞りの開口度、撮像素子の電子シャッタ量、および撮像素子から出力される撮像信号の利得の制御を行うことを特徴とする。
【手続補正１０】
【補正対象書類名】明細書
【補正対象項目名】００１６
【補正方法】変更
【補正の内容】
【００１６】
また、本発明のデジタルカメラの露出制御装置では、第１および第２の露出量の変化量が所定の閾値を超えた場合には、第２の露出量を制限することを特徴とする。
【手続補正１１】
【補正対象書類名】明細書
【補正対象項目名】００３１
【補正方法】変更
【補正の内容】
【００３１】
次に、ステップＳ１２において、ＡＦ枠の検出値をＣＣＤ３で取込み、映像信号処理回路６で演算される（ステップＳ１３）。その後、ＡＥ枠およびＡＦ枠についての露出量計算が行われる（ステップＳ１４）。